(57)【要約】【課題】  従来の原稿サイズ検知手段を必要とせず、低コスト化を図ることができる画像読取装置を提供する。【解決手段】  原稿搬送方向と直行方向に配置され、原稿の印字のある部分と印字がない部分との濃度差によって、搬送された原稿のサイズを識別する、複数の密着イメージセンサと、密着イメージセンサにより識別された原稿サイズを認識する、原稿サイズ認識手段と、を有する。【選択図】  図１
2005295407.tif 000002
【特許請求の範囲】
【請求項１】
原稿搬送方向と直行方向に配置され、原稿の印字のある部分と印字がない部分との濃度差によって、搬送された原稿のサイズを識別する、複数の密着イメージセンサと、
該密着イメージセンサにより識別された原稿サイズを認識する、原稿サイズ認識手段と、
を有することを特徴とする画像読取装置。
【請求項２】
前記密着イメージセンサにより認識された前記原稿サイズが小サイズの原稿の場合、前記搬送された原稿が通過しない場所の密着イメージセンサのＬＥＤを点灯させないように制御する、密着イメージセンサ制御手段を有することを特徴とする請求項１記載の画像読取装置。
【請求項３】
前記密着イメージセンサ制御手段は、前記搬送された原稿が前記密着イメージセンサを通過し終えると同時に、前記密着イメージセンサの通電を遮断し、該密着イメージセンサのＬＥＤを点灯させないように制御することを特徴とする請求項２記載の画像読取装置。
【請求項４】
前記密着イメージセンサ制御手段は、前記小サイズの原稿の原稿幅がＡ２及びＡ３の場合は、前記密着イメージセンサを３本点灯させ、また、前記小サイズの原稿の原稿幅がＡ４の場合は、前記密着イメージセンサを１本点灯させるように制御することを特徴とする請求項３記載の画像読取装置。
【請求項５】
請求項１から４のいずれか１項に記載の画像読取装置を備えることを特徴とする画像形成装置。
【発明の詳細な説明】
【技術分野】
【０００１】
本発明は、画像読取装置に関し、詳しくは密着イメージセンサを有する画像読取装置及び画像形成装置に関する。
【背景技術】
【０００２】
従来技術例として、画像読取装置において、白黒画像を読み取る際、白黒画像を再生するためのＬＥＤ点灯時間はカラー原稿を読み取るときの点灯時間の１／３であることは知られている（例えば、特許文献１参照）。
【特許文献１】特開平１０−５６５７７号公報
【発明の開示】
【発明が解決しようとする課題】
【０００３】
しかしながら、上記従来の画像読取装置は、スキャナ等に用いられる、画像読み取り用の密着イメージセンサ（以下、ＣＩＳという）のＬＥＤ点灯時間を１／３にするが、ＬＥＤを全く点灯されない場合に比べ消費電力がかかるという問題がある。
【０００４】
本発明は、上記事情に鑑みてなされたものであり、複数の分割したＣＩＳを使用して、原稿のある部分とない部分との濃度差により原稿サイズ検知を識別し、従来の原稿サイズ検知手段を有しないように構成することによって、装置の低コスト化を図ることを目的とする。
また、小サイズ原稿幅を読み取る場合、搬送された原稿が通らないＣＩＳのＬＥＤは点灯しないように制御し、さらなる装置の精度の向上化、省電力を図ることを目的とする。
【課題を解決するための手段】
【０００５】
かかる目的を達成するために、請求項１記載の発明は、原稿搬送方向と直行方向に配置され、原稿の印字のある部分と印字がない部分との濃度差によって、搬送された原稿のサイズを識別する、複数の密着イメージセンサと、密着イメージセンサにより識別された原稿サイズを認識する、原稿サイズ認識手段と、を有することを特徴とする。
【０００６】
請求項２記載の発明は、請求項１記載の発明において、密着イメージセンサにより認識された原稿サイズが小サイズの原稿の場合、搬送された原稿が通過しない場所の密着イメージセンサのＬＥＤを点灯させないように制御する、密着イメージセンサ制御手段を有することを特徴とする。
【０００７】
請求項３記載の発明は、請求項２記載の発明において、密着イメージセンサ制御手段は、搬送された原稿が密着イメージセンサを通過し終えると同時に、密着イメージセンサの通電を遮断し、密着イメージセンサのＬＥＤを点灯させないように制御することを特徴とする。
【０００８】
請求項４記載の発明は、請求項３記載の発明において、密着イメージセンサ制御手段は、小サイズの原稿の原稿幅がＡ２及びＡ３の場合は、密着イメージセンサを３本点灯させ、また、小サイズの原稿の原稿幅がＡ４の場合は、密着イメージセンサを１本点灯させるように制御することを特徴とする。
【０００９】
請求項５記載の発明は、請求項１から４のいずれか１項に記載の画像読取装置を備えることを特徴とする。
【発明の効果】
【００１０】
本発明によれば、原稿搬送方向と直行方向に配置され、原稿の印字のある部分と印字がない部分との濃度差によって、搬送された原稿のサイズを識別する、複数の密着イメージセンサと、密着イメージセンサにより識別された原稿サイズを認識する、原稿サイズ認識手段と、を有することによって、従来の原稿サイズ検知手段を必要とせず、装置の低コスト化を図ることができる。
【発明を実施するための最良の形態】
【００１１】
以下、本発明を実施するための最良の形態について添付図面を参照して詳細に説明する。
【００１２】
本発明の実施形態である画像読取装置の適用対象は、画像形成装置のうちのデジタル複写機、その中でも読み取り機能を分割している複写機に適用するのが効果の面からみても好ましい。
【００１３】
図１は、本発明の実施形態である画像読取装置の構成を示すブロック図である。図１に示す画像読取装置は、原稿の挿入を検知する原稿挿入検知部１１、原稿の先端及び後端を検知する原稿レジスト検知部１２、一連のプロセスを実行制御し、搬送原稿のサイズを認識するシステム制御基板（原稿サイズ認識手段）１０、原稿の読み取り制御を行い、各ＣＩＳのＬＥＤ点灯制御を行う読み取り制御回路（ＣＩＳ制御手段）１５、原稿搬送の信号を送る駆動制御回路１３、原稿搬送を行うスキャナ駆動装置１４、原稿読み取りを行い、分割されたＣＩＳ１６−１〜５、各ＣＩＳ１６のＬＥＤを点灯させるための電源を供給する電源装置１９等で構成される。
【００１４】
図２は、上記ＣＩＳ１６−１〜５付近の簡略構成図である。図１と図２を併せて本実施例の特徴となる構成について説明する。
【００１５】
オペレータによって原稿が挿入口から挿入されると、原稿は原稿挿入検知部１１により挿入を検知し、原稿が挿入されたことをシステム制御基板１０で認識し、スキャナ駆動装置１４により原稿を搬送する。搬送された原稿が、ＣＩＳ１６−１〜５で原稿の印字のある部分とない部分との濃度差によって原稿のサイズを識別し、システム制御基板１０で認識する。
【００１６】
認識された原稿は、スキャナ駆動装置１４により原稿を戻し、原稿レジスト検知部１２により原稿の先端を認識し、再度原稿を搬送する。搬送された原稿は、分割されたＣＩＳ１６−１〜５のＬＥＤにより照射され、その反射光はＣＩＳ１６−１〜５に結像され、原稿画像情報が読み取られる。
【００１７】
結像した原稿画像はアナログ信号に変換され、このアナログ信号は、ＣＩＳ読み取り制御回路１５において画像増幅回路（図示せず）により増幅され、増幅されたアナログ信号は、Ａ／Ｄ変換回路により画素ごとの多値デジタル信号に変換される。
【００１８】
変換されたデジタル信号は、図示しない同期制御回路から光量ムラ、コンタクトガラスの汚れ、センサの感度ムラ等による歪みを補正する。この補正されたデジタル画像情報は、画像処理回路１７でデジタル記録画像情報に変換された後、画像メモリ部１８に書き込まれる。
【００１９】
以上のように本実施形態の構成は、従来のような原稿検知手段を有する構成ではないため、装置の低コストで構成することができる。
【実施例１】
【００２０】
図３は、実施例１として、上記構成の画像読取装置の動作を示すフローチャートである。オペレータによって原稿がデジタル複写機等に挿入され、原稿挿入検知部１１が原稿挿入を検知すると、原稿が搬送される。ＣＩＳ１６−１〜５は、搬送された原稿のサイズを識別し、システム制御基板１０が原稿サイズを認識する。この時、システム制御基板１０が、原稿幅がＡ４であると認識すれば（図３、Ｓ１／ＹＥＳ）、読み取り制御回路１５は個々のＣＩＳに対して制御を行い、分割されたＣＩＳの中央部であるＣＩＳ１６−３のみに電源を供給し、その他のＣＩＳ１６−１，２，４，５の電源を遮断し（図３、Ｓ２）、ＣＩＳ１６−３のＬＥＤを点灯させる。
【００２１】
Ｓ４において、システム制御基板１０が、原稿幅がＡ２またはＡ３であると認識したら（図３、Ｓ４／ＹＥＳ）、読み取り制御回路１５は、分割されたＣＩＳ１６−２，３，４に電源を供給するように電源装置１９を制御し、ＬＥＤを点灯させる。また、読み取り制御回路１５は、両端にあるその他のＣＩＳ１６−１，５の電源を遮断するように制御する（Ｓ５）。
【００２２】
Ｓ４において、システム制御基板１０が、原稿幅がＡ２またはＡ３より広い原稿であると認識したら（図３、Ｓ４／ＮＯ）、読み取り制御回路１５は、ＣＩＳ１６−１〜５全てのＬＥＤを点灯させる（Ｓ６）。
【００２３】
以上のように本実施例１の動作は、原稿幅がＡ１，Ａ０幅以外であれば、ＣＩＳに電源を供給しないように制御されるため、省電力化が実現できる。
【実施例２】
【００２４】
図４は、実施例２として、上記構成の画像読取装置の動作を示すフローチャートである。オペレータによって原稿がデジタル複写機等に挿入され、ＣＩＳ１６−１〜５が、原稿の印字のある部分とない部分との濃度差にて原稿のサイズを識別し、システム制御基板１０が原稿サイズを認識する。そして、スキャナ駆動装置１４が原稿を戻し、原稿レジスト検知部（原稿レジストセンサ）１２が原稿の先端を認識する。そして、原稿が搬送されていき、原稿レジスト検知部１２から原稿がなくなると同時に（Ｓ１１，ＹＥＳ）、読み取り制御回路１５は、原稿レジスト検知部１２をＯＦＦにし、原稿レジスト検知部１２からＸ秒後にＣＩＳ１６−１〜５のＬＥＤを消灯するよう制御する（Ｓ１２）。この時、原稿サイズ幅により消灯されているＬＥＤは消灯されたままとする。
【００２５】
以上のように本実施例２の動作によれば、さらに省電力化が実現できる。
【００２６】
以上、上記本発明の実施形態によれば、搬送された原稿を読み取る原稿読取部に、原稿搬送方向と直行方向に配置した複数のＣＩＳを備えた画像読取装置であって、原稿の印字のある部分と、印字がない部分との濃度差をＣＩＳにより識別し、識別された原稿サイズを認識する手段を有することによって、従来の原稿サイズ検知手段を必要とせず、装置の低コスト化を図ることができる。
【００２７】
また、本発明の実施形態によれば、ＣＩＳにより認識された原稿幅が小サイズの原稿（Ａ２，Ａ３，Ａ４）の場合、搬送された原稿が通過しないＣＩＳのＬＥＤを点灯させないように制御するＣＩＳ制御手段を有することによって、原稿サイズにかかわらず、全てのＣＩＳのＬＥＤを点灯する場合に比べ、省電力化を実現できる。
【００２８】
また、本発明の実施形態によれば、ＣＩＳ制御手段が、搬送された原稿がＣＩＳを通過し終えると同時にＣＩＳの通電を遮断し、ＣＩＳのＬＥＤを点灯させないように制御するので、搬送された原稿が全てのＣＩＳを通過し終えてから、ＣＩＳのＬＥＤを点灯しなくする場合に比べ、省電力化を実現できる。
【００２９】
以上、本発明の実施例について説明したが、上記実施例に限定されるものではなく、その要旨を逸脱しない範囲において種々の変形が可能である。
【図面の簡単な説明】
【００３０】
【図１】本発明の実施形態である画像読取装置の構成を示すブロック図である。
【図２】本発明の実施形態である画像読取装置のＣＩＳ構成を示すブロック図である。
【図３】本発明の実施例１の動作を示すフローチャートである。
【図４】本発明の実施例２の動作を示すフローチャートである。
【符号の説明】
【００３１】
１０    システム制御基板
１１    原稿挿入検知部
１２    原稿レジスト検知部
１３    駆動制御回路
１４    スキャナ駆動装置
１５    読み取り制御回路
１６−１，２，３，４，５    ＣＩＳ（密着イメージセンサ）
１７    画像処理回路
１８    画像処理メモリ部
１９    電源装置
【図１】
2005295407.tif 000003
【図２】
2005295407.tif 000004
【図３】
2005295407.tif 000005
【図４】
2005295407.tif 000006